(57)【要約】      （修正有）【課題】凍結したティーグラウンドは非常に硬く、孔開け釘が頻繁に破損し、その度に先端の孔開け釘を交換しなければならなかったため、先端の孔開け釘が破損しにくいティーボーリング具を提供する。【解決手段】端部に持ち手部２を備えたシャフトと錘６と孔開け釘７とを設けたティーボーリング具において、シャフトを、持ち手部２より錘６に近い箇所にて、第１シャフト１と第２シャフト１１に分割し、弾性体４を介在させて連結したものである。必要以上に釘に力が加わった時、弾性体４により力が分散され、釘７の変形、折れを軽減できる。【選択図】図２
0003208540.tif 000002
【実用新案登録請求の範囲】
【請求項１】
持ち手部を有するシャフトと、前記シャフトの先端部側にある錘と孔開け釘とを備えたティーボーリング具において、前記シャフトが分割された部材により構成され、各部材が弾性体を介在させて連結されていることを特徴とするティーボーリング具。
【請求項２】
前記シャフトは、前記シャフトの先端部側の前記錘の近傍にて分割されている請求項１記載のティーボーリング具。
【請求項３】
前記弾性体は貫通孔を有し、前記貫通孔の内部にて前記シャフトの分割された各部材の端部が対向してなる請求項１もしくは請求項２記載のティーボーリング具。
【請求項４】
前記シャフトの分割された各部材の端部には、一方に凸面部と他方に凹面部が形成され、前記凸面部と前記凹面部が当接してなる請求項３に記載のティーボーリング具。
【考案の詳細な説明】
【技術分野】
【０００１】  本考案は、凍結したゴルフ場のティーグラウンドにおいて、ティーを差し込むための穴を開けるティーボーリング具に関するものである。
【背景技術】
【０００２】  従来のティーボーリング具は、先端の孔開け釘が破損することがあるため、その孔開け釘を容易に交換できるものであった。【０００３】  しかし、凍結したティーグラウンドは非常に硬く、孔開け釘が頻繁に破損し、その度に先端の孔開け釘を交換しなければならなかった。
【先行技術文献】
【特許文献】
【０００４】
【特許文献１】  実登第３１２８９２５号  公報
【考案の概要】
【考案が解決しようとする課題】
【０００５】  本考案は、先端の孔開け釘が破損しにくいティーボーリング具を提供するものである。
【課題を解決するための手段】
【０００６】  本考案は、端部に持ち手部を備えたシャフトと錘と孔開け釘とを設けたティーボーリング具において、シャフトを分割し、弾性体を介在させて連結したことを特徴とするものである。【０００７】  本考案のシャフトは、持ち手部より錘に近い箇所にて分割されたものである。【０００８】  本校案の弾性体は貫通孔を有し、貫通孔の内部にてシャフトの分割された各部材の端部が対向されたものである。【０００９】  本考案のシャフトの分割された各部材の端部は、一方に凸面部と他方に凹面部が形成され、前記凸面部と前記凹面部が当接されているものである。
【考案の効果】
【００１０】  本考案のティーボーリング具は、凍結して硬い地面を挿した場合でも、先端の孔開け釘が曲がったり折れたりすることを軽減できるものである。
【図面の簡単な説明】
【００１１】
【図１】本考案のティーボーリング具の部分断面正面図
【図２】本考案のティーボーリング具の分解組立図
【図３】本考案のティーボーリング具の使用状態を示す写真
【考案を実施するための形態】
【００１２】  孔開け釘が破損しにくいという本考案のティーボーリング具を、最もシンプルな形状の部品にて実現した。
【実施例１】
【００１３】  本考案の実施例１について、図１と図２を用いてその構成を以下に説明する。【００１４】  本考案のティーボーリング具におけるシャフトは、持ち手部２より錘６に近い箇所にて、第１シャフト１と第２シャフト１１に分割されている。第１シャフト１の端部を屈曲させ、そこに持ち手部２が挿入されている。持ち手部２はφ２２．２の太さである。また、第１シャフト１の他端には凹面部３が構成されている。【００１５】  第１シャフト１の凹面部３は、弾性体４の第１挿入孔５に挿入されている。【００１６】  また、円形の錘６の中心には、孔開け釘７を入れる釘挿入孔８と釘挿入孔８の上に座繰り穴９が形成されている。座繰り穴９に第１ナット１０を溶接し、孔開け釘７が挿入されている。更に、第２シャフト１１の端部に設けられたネジ１２を第１ナット１０にねじ込むことにより孔開け釘７を固定している。【００１７】  更に、第２シャフト１１は、座金１３及び第２ナット１４を第１ナット１０に締め付けることにより、緩み止め固定されている。【００１８】  また、第２シャフト１１の他端には、凸面部１５が構成されており、弾性体４の第２挿入孔１６に挿入されている。【００１９】  第１シャフト１と第２シャフト１１と弾性体４は、第１シャフト１に設けられた第１ノック穴１７と弾性体４に設けられた第１穴１８をノックピン１９でとめ、同様に第２シャフト１１に設けられた第２ノック穴２０と弾性体４に設けられた第２穴２１をノックピン１９でとめており、第１シャフト１と第２シャフト１１とが弾性体４に固定されている。【００２０】  第１挿入孔５と第２挿入孔１６は、弾性体４の内部で連通しており、貫通孔２２を構成している。更に、凹面部３と凸面部１５とは、貫通孔２２の内部で当接状態にある。また、弾性体４はウレタンゴムであり、ゴム硬度Ａ９０度を採用した。【００２１】  本考案の実施例１について、上記構成による作用と効果を以下に説明する。【００２２】  図３は、実施例１のティーボーリング具の使用状態を示した写真である。万一使用者の地面を突き刺す力が斜め方向に働いた場合、図３にあるように弾性体４が屈曲することにより、孔開け釘７に大きな力が伝わらないように作用する。また、使用者がティーボーリング具を地面に挿した後、穴を拡げたり、ティーボーリング具を抜く際、ティーボーリング具を地面に対して水平にまわす場合があるが、第１シャフト１と第２シャフト１１の分割及び弾性体４により、孔開け釘７に大きな力が伝わらないように作用する。【００２３】  第１シャフト１の上端部を屈曲させ、第１シャフト１、第２シャフト１１、孔開け釘７の一直線上に手がくるようにしているため、また、持ち手部２を挿入することにより、自転車のハンドルと同じ太さφ２２．２で握りやすく、まっすぐティーボーリング具で穴をあける場合、錘６の重さを活かして穴をあける動作となる。【００２４】  第１シャフト１の他端の凹面部３は、第２シャフト１１の凸面部１５と突き合わせ関節の役目をする。それを弾性体４に挿入することにより、屈折したものが元に戻る役目を果たす。凹面凸面を付けることにより、第１シャフト１と第２シャフト１１のずれ防止効果がある。また、弾性体４を傷つけることが少なく長��期間使用できる。さらに貫通孔２２の内部に第１シャフト１、第２シャフト１１があり、弾性体４がその周りにあることで、第１シャフト１、第２シャフト１１がよりずれない効果を持っている。また、凹面部３と凸面部１５が貫通穴２２の内部で１ｍｍ程度離れた近接状態であっても同等の効果を持っている。【００２５】  錘６の中心には、孔開け釘７を入れる釘挿入孔８として、ぐらつかないように孔開け釘７と同等の大きさの孔をあける。余分な力が孔開け釘７にかからないように固定され、更に第２シャフト１１の端部に設けられたネジ１２を第１ナット１０に孔開け釘７に当たるまでねじ込むことにより孔開け釘７を錘６に強固に固定することができる。【００２６】  第２シャフト１１は座金１３及び第２ナット１４にて第１ナット１０から抜け止めがなされている。また、第２ナット１４を弛め、第２シャフト１１を弛め、孔開け釘７を簡単に交換することができる。【００２７】  第１シャフト１と第２シャフト１１と弾性体４を第１シャフト１に設けられた第１ノック穴１７と弾性体４に設けられた第１穴１８をノックピン１９で、第２シャフト１１に設けられたノック穴２０と弾性体４に設けられた第２穴２１をノックピン１９でそれぞれとめることにより、弾性体４が使用していく中でずれることを防止している。【００２８】  弾性体４はウレタンゴムを使用し、屈折したものが元にもどるバネの役目とウレタンゴムの中でも耐久性のあるものを使用しているため、長期間使用が可能である。【００２９】  以上の構成と作用に基づき、本考案のティーボーリング具は、凍結して硬い地面を挿した場合でも、先端の孔開け釘が曲がったり折れたりすることを軽減できるものである。
【符号の説明】
【００３０】    １  第１シャフト
２  持ち手部
３  凹面部
４  弾性体
５  第１挿入孔
６  錘
７  孔開け釘
８  釘挿入孔
９  座繰り穴
１０  第１ナット
１１  第２シャフト
１２  ネジ部
１３  座金
１４  第２ナット
１５  凸面部
１６  第２挿入孔
１７  第１ノック穴
１８  第１穴
１９  ノックピン
２０  第２ノック穴
２１  第２穴
２２  貫通孔
【図１】
0003208540.tif 000003
【図２】
0003208540.tif 000004
【図３】
0003208540.tif 000005